(57)【特許請求の範囲】
【請求項１】
電気錠の解錠を指示する第１操作ボタンと前記電気錠の施錠を指示する第２操作ボタンとを有する操作手段と、前記電気錠の施解錠に必要な特定の情報を記憶した非接触媒体が通信可能領域内にあるときに該非接触媒体の情報を非接触通信により取得する受信手段と、前記第１操作ボタン上に一体に設けられる第１表示部を含む表示手段と、前記受信手段が取得した前記非接触媒体の情報を正常認証した後の前記操作手段による操作及び前記電気錠の現在の状態に応じて該電気錠を解錠制御又は施錠制御する制御手段とを備えたリーダが扉近傍の室内側と室外側にそれぞれ配設され、
さらに室内と室外の前記扉近傍の人を検知する人検知センサを備え、
前記電気錠の解錠時に、前記人検知センサが室内と室外の両方で前記扉近傍の人を検知した状態で前記非接触媒体の情報を正常認証したときに、前記室内のリーダの操作手段における第１操作ボタン上の第１表示部を表示し、前記室外のリーダの前記操作手段の第１操作ボタンによる解錠操作を無効に制御することを特徴とする電気錠システム。
【請求項２】
前記表示手段は、更に前記第２操作ボタン上に一体に設けられる第２表示部を含んでおり、前記受信手段と前記非接触媒体との間が非接触通信中であるか否かを識別表示する表示機能と、前記非接触媒体の情報が正常認証されたときに前記操作手段の操作を誘導表示する表示機能と、前記電気錠の施解錠制御に伴う該電気錠の施解錠状態を識別表示する表示機能のうち少なくとも一つの表示機能を前記第１表示部と前記第２表示部との組み合わせ表示により行うことを特徴とする請求項１記載の電気錠システム。
【発明の詳細な説明】
【技術分野】
【０００１】
本発明は、例えばホテルやオフィスビル等の商業施設や公共施設の入出口、集合住宅や一般住宅のエントランスや玄関等の扉に内蔵された錠前を電気的に施解錠制御する電気錠システムに関するものである。
【背景技術】
【０００２】
近年、ホテルやオフィスビル等の商業施設や公共施設の入出口、集合住宅や一般住宅のエントランスや玄関等には電気錠システムが広く普及している。この種の電気錠システムとしては、下記特許文献１を含め、様々な形態のものが提案されている。
【０００３】
ここで、従来の電気錠システムの一つとして、制御器、操作表示器、受信器を備えたものが知られている。この電気錠システムにおける制御器は、例えば管理室等に配置され、錠前の施解錠動作に係わる一連の処理を統括制御している。操作表示器は、例えば室内外の扉面や壁面等に配設されて制御器と接続されており、利用者の意志に基づくボタン操作によって錠前の解錠や施錠を指示する操作信号を制御器に入力したり、現在の錠前の施解錠状態を制御器からの入力により表示している。受信器は、例えば錠前とともに扉に内蔵されており、利用者が所持するＩＣカードなどの非接触媒体の情報を非接触で受信し、この受信した情報を制御器に入力している。尚、非接触媒体には、錠前の施解錠を許容する利用者を特定する情報（例えば会社コード、社員コードなどの暗証情報）が予め記憶されている。
【０００４】
この種の電気錠システムでは、利用者が所持する非接触媒体が受信器の通信可能領域内に入ると、その非接触媒体の情報が受信器によって受信され、この受信した情報が制御器に入力される。制御器は、受信器からの情報の正当性を判別し、正常に認証すると、現在の錠前の施解錠状態を操作表示器の表示部に表示制御する。そして、利用者が操作表示器の表示部を見て、利用者の意志に基づくボタン操作により解錠の指示がなされると、解錠を指示する操作信号が制御器に入力される。制御器は、操作表示器から解錠を指示する操作信号が入力されると、現在の錠前の施解錠状態や扉の開閉状態に応じて錠前を解錠制御する。
【０００５】
尚、制御器に自動施錠設定がなされている場合には、扉開閉後、または閉扉のまま所定時間が経過すると、錠前が自動的に施錠制御される。また、解錠状態にある錠前を施錠制御する場合には、非接触媒体の情報を正常に認証した後の操作表示器のボタン操作により施錠の指示がなされると、施錠を指示する操作信号が制御器に入力され、現在の錠前の施解錠状態や扉の開閉状態に応じて錠前が施錠制御される。
【特許文献１】特開平１０−０２５９３５号公報
【発明の開示】
【発明が解決しようとする課題】
【０００６】
しかしながら、上述した従来の電気錠システムでは、非接触媒体の情報を読み取る受信器とは別に、システムを構築する上で必要な施解錠操作や状態表示を実現するための機構や機器が必要不可欠であった。また、システムが複数の機構や機器で構成されるため、利用者にとってあまり使い勝手が良くなかった。
【０００７】
そこで、この種の従来のシステムに比べ、構成を簡素化しつつ利用者の使い勝手を良くするのは勿論のこと、室外側から不意に解錠されることなく防犯上にも優れた電気錠システムの提供が望まれていた。
【０００８】
本発明は上記問題点に鑑みてなされたものであり、室外側から不意に解錠されることなく防犯上に優れ、構成を簡素化して利用者の使い勝手を良くすることができる電気錠システムを提供することを目的とするものである。
【課題を解決するための手段】
【０００９】
上記した目的を達成するために、請求項１に記載された電気錠システムは、電気錠の解錠を指示する第１操作ボタンと前記電気錠の施錠を指示する第２操作ボタンとを有する操作手段と、前記電気錠の施解錠に必要な特定の情報を記憶した非接触媒体が通信可能領域内にあるときに該非接触媒体の情報を非接触通信により取得する受信手段と、前記第１操作ボタン上に一体に設けられる第１表示部を含む表示手段と、前記受信手段が取得した前記非接触媒体の情報を正常認証した後の前記操作手段による操作及び前記電気錠の現在の状態に応じて該電気錠を解錠制御又は施錠制御する制御手段とを備えたリーダが扉近傍の室内側と室外側にそれぞれ配設され、
さらに室内と室外の前記扉近傍の人を検知する人検知センサを備え、
前記電気錠の解錠時に、前記人検知センサが室内と室外の両方で前記扉近傍の人を検知した状態で前記非接触媒体の情報を正常認証したときに、前記室内のリーダの操作手段における第１操作ボタン上の第１表示部を表示し、前記室外のリーダの前記操作手段の第１操作ボタンによる解錠操作を無効に制御することを特徴とする。
【００１０】
請求項２に記載された電気錠システムは、請求項１の電気錠システムにおいて、
前記表示手段は、更に前記第２操作ボタン上に一体に設けられる第２表示部を含んでおり、前記受信手段と前記非接触媒体との間が非接触通信中であるか否かを識別表示する表示機能と、前記非接触媒体の情報が正常認証されたときに前記操作手段の操作を誘導表示する表示機能と、前記電気錠の施解錠制御に伴う該電気錠の施解錠状態を識別表示する表示機能のうち少なくとも一つの表示機能を前記第１表示部と前記第２表示部との組み合わせ表示により行うことを特徴とする。
【発明の効果】
【００１１】
本発明に係る電気錠システムによれば、室内と室外の両方に人がいる状態で非接触媒体の情報を正常認証した場合には、室外側のリーダの解錠操作を無効に制御するので、非接触媒体を所持した室内の人が電気錠の施解錠を意図とせずに扉に近づいて非接触媒体の情報が正常認証されたときに、非接触媒体を所持していない人（電気錠の施解錠の許可が与えられていない人）によって室外から不意に解錠されるようなことが無くなり、防犯上にも優れた電気錠システムを提供することができる。
【００１２】
また、従来のような別構成の専用の機構や機器が不要になり、別々に構成された操作表示器とリーダとを一体化して構成の簡素化を図り、利用者の使い勝手を向上させて電気錠システムを構築することができる。しかも、専用の機構や機器が不要になることにより、コストの低減が図れ、これら専用の機構や機器を設置するためのスペースの制約も無くなり、意匠性の向上を図ることができる。
【００１３】
また、表示手段の表示制御により、受信手段と非接触媒体との間が通信中であるか否かの識別表示、非接触媒体の情報の正常認証後の操作手段のボタン操作の誘導表示、電気錠の施解錠制御直後の状態表示を動作状況に応じて適宜行うことができる。これにより、利用者は表示手段の表示状態を確認しながら電気錠の施解錠動作を行うことができ、利用者の使い勝手もさらに向上させることができる。
【発明を実施するための最良の形態】
【００１４】
以下、本発明の最良の形態について、添付した図面を参照しながらそれぞれ詳細に説明する。図１は本発明に係る電気錠システムのブロック構成図、図２は同システムの室外側リーダの配設例を示す概略斜視図、図３は同システムの室内側リーダと室外側リーダの外観平面図、図４は同システムで非接触媒体の情報が正常認証されたときの各リーダのボタン操作の有効・無効の状態を示す図、図５は同システムのリーダの他の構成例を示す外観平面図である。
【００１５】
図１に示すように、本例の電気錠システム１は、室内側と室外側のそれぞれに配設されるリーダ２（２ａ，２ｂ）と、電気錠装置３とを備えて概略構成され、錠前（電気錠）の施解錠を許容する利用者を特定するために非接触媒体４を用いている。
【００１６】
非接触媒体４は、本例の電気錠システム１の錠前（電気錠）の施解錠が許容される利用者が所持するもので、例えば電磁波や電波を用いてリーダ２との間で非接触通信可能であり、各種情報のリード／ライトが可能な記憶領域を有するＩＣチップで構成されるＲＦＩＤタグ（Radio Frequency Identification  Tag ）を備えたＩＣカード等で構成される。この非接触媒体４には、錠前の施解錠を許容する利用者を特定する固有の暗証情報（ＩＤ）が利用者単位で予め記憶されている。
【００１７】
尚、非接触媒体４は、リーダ２との間で非接触通信可能な記憶媒体であれば良く、その構成が限定されるものではない。
【００１８】
リーダ２は、図３に示すように、制御対象となる錠前（電気錠）を装備した部屋の室内側に設けられる室内側リーダ２ａと、室外側に設けられる室外側リーダ２ｂとからなる。図２では、室外側の把手上方の扉面に室外側リーダ２ｂを設けた例を示しているが、この位置に限定されるものではない。本例の室内側リーダ２ａと室外側リーダ２ｂは、後述する人検知センサ１０を内蔵しているので、人検知センサ１０が扉近傍の人を検知できるように室内側と室外側の扉面や扉面近傍の壁面などに設けるのが好ましい。これら室内側リーダ２ａと室外側リーダ２ｂは、電気錠装置３との間で相互に通信可能とされており、図１に示すように、人検知センサ１０、操作手段１１、受信手段１２、制御手段１３、表示手段１４、通信手段１５を備えている。
【００１９】
人検知センサ１０は、扉近傍の人の検知を行うもので、室内側リーダ２ａ本体に内蔵される室内側人検知センサ１０ａと、室外側リーダ２ｂ本体に内蔵される室外側人検知センサ１０ｂから構成される。これら室内側人検知センサ１０ａと室外側人検知センサ１０ｂは、例えば焦電素子、サーモパイル、サーミスタボロメータ等の周知の赤外線検出素子で構成され、赤外線を集光するためのレンズやミラー等の光学系も含む。そして、室内側人検知センサ１０ａは、室内側リーダ２ａ本体の検知窓（図３の点線丸部分の位置）を介して室内側の扉近傍の所定検知エリアから受光した赤外線の量に応じて、人有りのときにＯＮ信号、人無しのときにＯＦＦ信号を検知信号として制御手段１３に入力している。また、室外側人検知センサ１０ｂは、室外側リーダ２ｂ本体の検知窓（図２や図３の点線丸部分の位置）を介して室外側の扉近傍の所定検知エリアから受光した赤外線の量に応じて、人有りのときにＯＮ信号、人無しのときにＯＦＦ信号を検知信号として制御手段１３に入力している。
【００２０】
なお、本例では、より構成の簡素化を図るため、人検知センサ１０（１０ａ，１０ｂ）をリーダ２に内蔵する構成としているが、人検知センサ１０（１０ａ，１０ｂ）をリーダ２に内蔵せずに別体に構成して室内や室外の扉近傍の人の検知を行うこともできる。
【００２１】
操作手段１１は、錠前の解錠や施錠を指示する操作信号を制御手段１３に入力するもので、第１操作ボタン１１ａと第２操作ボタン１１ｂを備えている。図３の例では、リーダ２（２ａ，２ｂ）の本体上下に並設された矩形状の２つの押しボタンが第１操作ボタン１１ａと第２操作ボタン１１ｂに相当し、中央部を支点として一方の操作ボタン１１ａ（又は１１ｂ）が押下されたときに接点が閉じるシーソ式の押しボタンスイッチで構成される。ここでは、第１操作ボタン１１ａが錠前の施錠を指示する施錠ボタン（上ボタン）として機能し、第２操作ボタン１１ｂが錠前の解錠を指示する解錠ボタン（下ボタン）として機能する。操作手段１１は、何れかの操作ボタン１１ａ又は１１ｂが押下されると、押下された操作ボタン１１ａ又は１１ｂによる操作信号を制御手段１３に入力している。
【００２２】
さらに説明すると、施錠ボタン１１ａが押下されると、錠前の施錠を指示する旨の操作信号を制御手段１３に入力する。また、解錠ボタン１１ｂが押下されると、錠前の解錠を指示する旨の操作信号を制御手段１３に入力する。さらに、何れの操作ボタン１１ａ，１１ｂも押下されていない状態では、不図示の付勢手段により水平状態が維持され、制御手段１３には何も信号が入力されない。
【００２３】
尚、本例では、施錠ボタン（上ボタン）を第１操作ボタン１１ａ、解錠ボタン（下ボタン）を第２操作ボタン１１ｂとしているが、当然の如く、解錠ボタンを第１操作ボタン１１ａ、施錠ボタンを第２操作ボタン１１ｂとして逆転した構成であっても良い。
【００２４】
受信手段１２は、非接触媒体４が通信可能領域内にあるときに、その非接触媒体４との間で非接触通信を行い、非接触媒体４に記憶されている情報を受信し、この受信した情報を制御手段１３に入力している。
【００２５】
制御手段１３は、例えばＣＰＵやＲＯＭ，ＲＡＭなどを有するマイクロコンピュータで構成され、リーダ２の各部を統括制御している。この制御手段１３が実行する制御内容としては、受信手段１２から入力される非接触媒体４の情報の正当性を判別するとともに、人検知センサ１０から入力される検知信号によって扉近傍の人を検知したか否かを判別している。
【００２６】
また、制御手段１３は、非接触媒体４の情報を正常認証したときに、人検知センサ１０（１０ａ，１０ｂ）の検知結果に応じてリーダ２の操作手段１１のボタン操作の有効・無効を制御している。具体的には、図４に示すように、室内側人検知センサ１０ａと室外側人検知センサ１０ｂの両方からＯＮ信号が入力されたときのみ、室外側リーダ２ｂの操作手段１１の解錠ボタン１１ｂの操作を無効に制御し（解錠ボタン１１ｂが操作されたときに入力される操作信号を無視し）、それ以外のときには室内側リーダ２ａ及び室外側リーダ２ｂの操作手段１１の施錠ボタン１１ａ及び解錠ボタン１１ｂの操作を有効に制御している（施錠ボタン１１ａや解錠ボタン１１ｂが操作されたときに入力される操作信号を有効な信号としている）。なお、このボタン操作の有効・無効の制御は、室内側リーダ２ａと室外側リーダ２ｂとの間で後述する通信手段１５を介して情報交換を行うことにより、室内側リーダ２ａの制御手段１３、室外側リーダ２ｂの制御手段１３の何れからでも行うことができる。
【００２７】
さらに、制御手段１３は、非接触媒体４との間の通信中に、通信中であることを利用者に知らせるべく後述する表示手段１４の施錠表示部１４ａ及び解錠表示部１４ｂの表示を制御している。
【００２８】
また、制御手段１３は、非接触媒体４の情報を正常認証したときに、後述する電気錠装置３から取得する監視情報に基づいて現在の錠前の施解錠状態や扉の開閉状態を認識し、この認識結果と人検知センサ１０（１０ａ，１０ｂ）の検知結果に応じて操作手段１１のボタン操作を誘導するように表示手段１４の表示を制御している。
【００２９】
具体的には、非接触媒体４の情報を正常認証した後に、電気錠装置３から施錠・閉扉の監視情報を取得し、室内側人検知センサ１０ａと室外側人検知センサ１０ｂの両方からＯＮ信号が入力せず、室内側人検知センサ１０ａ又は室外側人検知センサ１０ｂの一方からＯＮ信号が入力されると、該当するリーダ２側の解錠ボタン１１ｂ上に位置する後述する解錠表示部１４ｂを所定時間だけ点灯（又は点滅）するように表示手段１４の表示を制御する。
【００３０】
なお、非接触媒体４の情報を正常認証した後に、電気錠装置３から施錠・閉扉の監視情報を取得し、室内側人検知センサ１０ａと室外側人検知センサ１０ｂの両方からＯＮ信号が入力したときには、室外側リーダ２ｂの操作手段１１の解錠ボタン１１ｂの操作が無効となり、室内側リーダ２ａの解錠ボタン１１ｂ上に位置する後述する解錠表示部１４ｂを所定時間だけ点灯（又は点滅）するように表示手段１４の表示を制御する。
【００３１】
また、非接触媒体４の情報を正常認証した後に、電気錠装置３から解錠・閉扉の監視情報を取得し、室内側人検知センサ１０ａと室外側人検知センサ１０ｂの少なくとも一方からＯＮ信号が入力されると、該当するリーダ２側の施錠ボタン１１ａ上に位置する後述する施錠表示部１４ａを所定時間だけ点灯（又は点滅）するように表示手段１４の表示を制御する。
【００３２】
さらに、制御手段１３は、解錠表示部１４ｂが点灯（又は点滅）している状態で操作手段１１の解錠ボタン１１ｂが押されたときに、通信手段１５を介して電気錠装置３に解錠指令信号を送信している。また、制御手段１３は、施錠表示部１４ａが点灯（又は点滅）している状態で操作手段１１の施錠ボタン１１ａが押されたときに、通信手段１５を介して電気錠装置３に施錠指令信号を送信している。
【００３３】
表示手段１４は、錠前の施解錠に関する表示として、操作手段１１のボタン操作を誘導する表示や錠前の施解錠状態の表示を制御手段１３の制御の元に行っている。
【００３４】
図２や図３に示すように、表示手段１４は、操作手段１１の第１操作ボタン１１ａ上に一体に設けられた第１表示部１４ａと、操作手段１１の第２操作ボタン１１ｂ上に一体に設けられた第２表示部１４ｂとを有して構成される。
【００３５】
本例では、第１表示部１４ａが施錠操作を誘導する表示や錠前の施錠状態を表示する施錠表示部として機能し、第２表示部１４ｂが解錠操作を誘導する表示や錠前の解錠状態を表示する解錠表示部として機能する。
【００３６】
さらに説明すると、図２や図３に示すように、施錠表示部１４ａは、２つの三角形（二等辺三角形や正三角形）の頂角が対向して内側に向いた形状により「施錠」を表現したランプで構成している。そして、このランプの点灯や点滅により、施錠ボタン１１ａを押下するように施錠操作を誘導したり、錠前が解錠状態から施錠状態に切り換わったことを表示している。また、解錠表示部１４ｂは、２つの三角形（二等辺三角形や正三角形）の底辺を背合わせにして頂角が外側に向いた形状により「解錠」を表現したランプで構成している。そして、このランプの点灯や点滅により、解錠ボタン１１ｂを押下するように解錠操作を誘導したり、錠前が施錠状態から解錠状態に切り換わったことを表示している。
【００３７】
また、第１表示部１４ａと第２表示部１４ｂは、上述した操作手段１１のボタン操作を誘導表示する表示機能、錠前の施解錠状態の表示機能の他、受信手段１２と非接触媒体４との非接触通信中に、制御手段１３の制御により同時に点灯（又は同時に点滅、又は交互に点滅）し、通信中であることを利用者に知らせる表示機能も有している。尚、表示手段１４としては、これら３つの表示機能を備えるのが好ましいが、少なくとも一つの表示機能を備えた構成とすることもできる。
【００３８】
また、施錠表示部１４ａ及び解錠表示部１４ｂは、ランプの点灯や点滅によって操作手段１１のボタン操作を誘導する表示や錠前の施解錠状態の表示を行うものであるが、図２や図３に示す形状のランプに限定されず、例えば２つの内向きの矢印形状のランプと２つの外向きの矢印形状のランプを点灯や点滅する構成としたり、「施錠」と「解錠」の文字で型取られた２つのランプを点灯や点滅する構成とすることもできる。さらに、上述した各表示機能毎にランプの点灯色や点滅色を変えて識別表示することも可能である。
【００３９】
通信手段１５は、例えばＲＳ−４８５、イーサネット（登録商標）などを用い、リーダ２（２ａ，２ｂ）間や電気錠装置３との間で相互に通信を行い、情報交換を行っている。具体的に、室内側リーダ２ａは、室外側人検知センサ１０ｂの検知信号を通信手段１５を介して室外側リーダ２ｂから取得し、この取得した検知信号と室内側人検知センサ１０ａの検知信号とによる操作手段１１の操作ボタンの有効・無効の状態を示す情報を通信手段１５を介して室外側リーダ２ｂに送信している。また別の方法として、室外側リーダ２ｂは、室内側人検知センサ１０ａの検知信号を通信手段１５を介して室内側リーダ２ａから取得し、この取得した検知信号と室外側人検知センサ１０ｂの検知信号とによる操作手段１１の操作ボタンの有効・無効の状態を判別するようにしても良い。さらに、錠前の施解錠制御時には、操作手段１１の操作信号に基づく解錠指令信号や施錠指令信号を電気錠装置３に通信手段１５を介して送信している。また、現在の錠前の施解錠状態や扉の開閉状態を示す状態情報を通信手段１５を介して電気錠装置３から受信している。
【００４０】
電気錠装置３は、リーダ２（２ａ，２ｂ）との間で相互に通信可能とされており、リーダ２（２ａ，２ｂ）からの解錠指令信号や施錠指令信号により錠前を電気的に施解錠制御するものである。この電気錠装置３は、図１に示すように、通信手段２１、監視手段２２、制御手段２３、駆動手段２４、施解錠機構２５を備えている。
【００４１】
通信手段２１は、例えばＲＳ−４８５、イーサネット（登録商標）などを用い、リーダ２との間で相互に通信を行い、情報交換を行っている。具体的に、通信手段２１は、錠前の施解錠制御時に、リーダ２（２ａ，２ｂ）からの操作手段１１の操作信号に基づく解錠指令信号や施錠指令信号を受信している。また、監視手段２２からの監視情報に基づく現在の錠前の施解錠状態や扉の開閉状態を示す状態情報をリーダ２（２ａ，２ｂ）に送信している。
【００４２】
監視手段２２は、例えばマイクロスイッチやリードスイッチなどの各種検知センサで構成され、現在の錠前の施解錠状態、扉の開閉状態を常時監視しており、その監視情報を制御手段２３に入力している。
【００４３】
制御手段２３は、電気錠装置３の各部を統括制御するもので、例えばＣＰＵやＲＯＭ，ＲＡＭなどを有するマイクロコンピュータで構成される。制御手段２３は、監視手段２２からの監視情報に基づき、現在の錠前の施解錠状態や扉の開閉状態を常時認識している。また、制御手段２３は、通信手段２１を介してリーダ２（２ａ，２ｂ）から解錠指令信号や施錠指令信号が入力されたときに、現在の錠前の施解錠状態や扉の開閉状態に応じて錠前を解錠又は施錠するべく駆動手段２４に解錠制御信号（解錠時）や施錠制御信号（施錠時）を出力している。
【００４４】
駆動手段２４は、制御手段２３からの解錠制御信号や施錠制御信号により施解錠機構２５を駆動して錠前を電気的に施解錠している。
【００４５】
施解錠機構２５は、駆動手段２４からの通電により駆動されるモータやソレノイド等によって扉側のデッドボルトを扉枠側の係合穴に対して進退移動する機構で構成される。
【００４６】
次に、上記のように構成される電気錠システム１において錠前を電気的に施解錠制御する場合の動作について説明する。
【００４７】
まず、電気錠が施錠状態の時に室外から解錠する場合には、非接触媒体４を所持した利用者がリーダ２に近づき、非接触媒体４がリーダ２の通信可能領域内に入ると、リーダ２は、その非接触媒体４との間で非接触通信を行い、非接触媒体４に記憶された情報を読み取る。このとき、非接触媒体４を所持した室外の利用者が室外側人検知センサ１０ｂによって検知される。この非接触通信中は、表示手段１４の施錠表示部１４ａと解錠表示部１４ｂが同時に点灯（又は同時に点滅、又は交互に点滅）している。これにより、非接触媒体４の情報の読み取りが完了したか否かを利用者に知らせる。そして、リーダ２は、非接触媒体４から読み取った情報と、予め登録されている情報とを照合し、その正当性を判別する。
【００４８】
リーダ２は、非接触媒体４から読み取った情報を正常に認証し、室外の利用者のみを室外側人検知センサ１０ｂが検知すると、操作手段１１の解錠ボタン１１ｂ上の解錠表示部１４ｂが所定時間だけ点灯（又は点滅）する。これにより、利用者に対して解錠ボタン１１ｂの操作を誘導する。そして、解錠表示部１４ｂが点灯（又は点滅）している間に非接触媒体４を所持した利用者によって解錠ボタン１１ｂが押下されると、制御手段１３から通信手段１５，２１を介して電気錠装置３の制御手段２３に解錠指令信号を送信する。
【００４９】
電気錠装置３の制御手段２３は、リーダ２から解錠指令信号を受信すると、駆動手段２４を介して施解錠機構２５を駆動し、電気錠を解錠制御する。そして、電気錠装置３の制御手段２３は、電気錠を解錠制御すると、監視手段２２からの監視情報により現在の電気錠の施解錠状態を示す状態情報（解錠情報）を通信手段２１，１５を介してリーダ２に送信する。
【００５０】
リーダ２の制御手段１３は、電気錠装置３から状態情報（解錠情報）を受信すると、表示手段１４の解錠表示部１４ｂのランプが所定時間だけ点灯（又は点滅）し、このランプの点灯（点滅）により電気錠が施錠から解錠に切り換わったことを利用者に知らせる。
【００５１】
なお、電気錠装置３に自動施錠設定がなされている場合、電気錠装置３の制御手段２３は、扉開閉後、または閉扉のまま所定時間が経過したときに、駆動手段２４を介して施解錠機構２５を駆動し、電気錠を自動的に施錠制御する。また、特に自動施錠設定がなされていない場合には、電気錠の解錠状態を保持する。
【００５２】
そして、電気錠が施錠状態の時に、非接触媒体４を所持した利用者が室内から解錠する場合にも、上述した室外からの解錠と同様の手順の動作によって電気錠が施錠から解錠に切り換えられる。
【００５３】
ここで、上述した電気錠を室外又は室内から解錠する動作において、室内側人検知センサ１０ａと室外側人検知センサ１０ｂの両方から人有りを示すＯＮ信号が入力された状態で非接触媒体４の情報を正常認証した場合には、室外側リーダ２ｂの操作手段１１の解錠ボタン１１ｂの操作を無効に制御している。これにより、非接触媒体４を所持した室内の人が電気錠の施解錠を意図とせずに扉に近づいて非接触媒体４の情報が正常認証されたときに、電気錠の施解錠が許可されていない室外の人（非接触媒体４を所持しない室外の人）が扉に近づいても、室外から不意に電気錠が解錠されてしまうことがない。
【００５４】
次に、電気錠が解錠状態の時に室外から施錠する場合には、非接触媒体４を所持した利用者がリーダ２に近づき、非接触媒体４がリーダ２の通信可能領域内に入ると、リーダ２は、その非接触媒体４との間で非接触通信を行い、非接触媒体４に記憶された情報を読み取る。このとき、非接触媒体４を所持した室外の利用者が室外側人検知センサ１０ｂによって検知される。この非接触通信中は、表示手段１４の施錠表示部１４ａと解錠表示部１４ｂが同時に点灯（又は同時に点滅、又は交互に点滅）している。これにより、非接触媒体４の情報の読み取りが完了したか否かを利用者に知らせる。そして、リーダ２は、非接触媒体４から読み取った情報と、予め登録されている情報とを照合し、その正当性を判別する。
【００５５】
リーダ２は、非接触媒体４から読み取った情報を正常に認証し、室外の利用者のみを室外側人検知センサ１０ｂが検知すると、操作手段１１の施錠ボタン１１ａ上の施錠表示部１４ａが所定時間だけ点灯（又は点滅）する。これにより、利用者に対して施錠ボタン１１ａの操作を誘導する。そして、施錠表示部１４ａが点灯（又は点滅）している間に非接触媒体４を所持した利用者によって施錠ボタン１１ａが押下されると、制御手段１３から通信手段１５，２１を介して電気錠装置３の制御手段２３に施錠指令信号を送信する。
【００５６】
電気錠装置３の制御手段２３は、リーダ２から施錠指令信号を受信すると、駆動手段２４を介して施解錠機構２５を駆動し、電気錠を施錠制御する。そして、電気錠装置３の制御手段２３は、電気錠を施錠制御すると、監視手段２２からの監視情報により現在の電気錠の施解錠状態を示す状態情報（施錠情報）を通信手段２１，１５を介してリーダ２に送信する。
【００５７】
リーダ２の制御手段１３は、電気錠装置３から状態情報（施錠情報）を受信すると、表示手段１４の施錠表示部１４ａのランプが所定時間だけ点灯（又は点滅）し、このランプの点灯（又は点滅）により電気錠が解錠から施錠に切り換わったことを利用者に知らせる。
【００５８】
そして、電気錠が解錠状態の時に、非接触媒体４を所持した利用者が室内から施錠する場合にも、上述した室外からの施錠と同様の手順の動作によって電気錠が解錠から施錠に切り換えられる。
【００５９】
なお、上述した動作は、室内または室外のリーダ２を利用する場合の動作であるが、電気錠が解錠状態で閉扉状態の場合、非接触媒体４を用いないで室内側リーダ２ａから施錠することもできる。この場合、室内側リーダ２ａの施錠ボタン１１ａを押したときに、室内側人検知センサ１０ａが人を検知すると、室内側リーダ２ａから電気錠装置３に施錠指令信号が送信され、電気錠装置３の制御手段２３が電気錠を施錠制御する。
【００６０】
このように、本例の電気錠システムでは、人を検知する人検知センサ１０を室内側リーダ２ａ及び室外側リーダ２ｂに内蔵し、室内と室外の両方に人がいる状態で非接触媒体４の情報を正常認証した場合には、室外側リーダ２ｂの操作手段１１の解錠ボタンを無効に制御している。これにより、非接触媒体４を所持した室内の人が電気錠の施解錠を意図とせずに扉に近づいて非接触媒体４の情報が正常認証されたときに、非接触媒体４を所持していない人（電気錠の施解錠の許可が与えられていない人）によって室外から不意に解錠されることが無く、防犯上にも優れた電気錠システムを提供することができる。
【００６１】
また、本例のシステムに採用されるリーダ２は、非接触媒体４の情報の受信機能に加えて施解錠操作機能や施解錠状態表示機能を兼ね備えており、通信可能領域内にある非接触媒体４の情報を非接触で読み取って情報の正当性を判別し、この情報を正常に認証した後の操作手段１１の解錠ボタン１１ｂ（又は施錠ボタン１１ａ）を操作する一連の流れによって簡単に電気錠を施解錠することができる。
【００６２】
これにより、従来のような別構成の専用の機構や機器が不要になり、別々に構成された操作表示器とリーダとを一体化して構成の簡素化を図り、利用者の使い勝手を向上させて電気錠システムを構築することができる。しかも、専用の機構や機器が不要になることにより、コストの低減が図れ、これら専用の機構や機器を設置するためのスペースの制約も無くなり、意匠性の向上を図ることができる。
【００６３】
また、リーダ２では、操作手段１１上に一体に設けられた表示手段１４の表示制御により、受信手段１２と非接触媒体４との間が通信中であるか否かの識別表示、非接触媒体４の情報の正常認証後の操作手段１１のボタン操作の誘導表示、電気錠の施解錠制御直後の状態表示を動作状況に応じて適宜行っている。これにより、利用者は表示手段１４の表示状態を確認しながら電気錠の施解錠動作を行うことができ、利用者の使い勝手もさらに向上させることができる。
【００６５】
ところで、室内側と室外側の両方にリーダ２（２ａ，２ｂ）が設置されている状態で、室外側リーダ２ｂのみを使用する場合には、図４に示すように、室内側リーダ２ａの本体表面に対し、操作手段１１（上下ボタン１１ａ，１１ｂ）及び表示手段１４（上下ランプ１４ａ，１４ｂ）を保護するカバー３１を設ける。これにより、室内からの操作手段１１の誤操作を防ぐことができる。なお、この場合、カバー３１越しに室内の扉近傍の人が検知できるように室内側人検知センサ１０ａの検知窓が設けられる。
【図面の簡単な説明】
【００６６】
【図１】本発明に係る電気錠システムのブロック構成図である。
【図２】本発明に係る電気錠システムの室外側リーダの配設例を示す概略斜視図である。
【図３】本発明に係る電気錠システムの室内側リーダと室外側リーダの外観平面図である。
【図４】本発明に係る電気錠システムで非接触媒体の情報が正常認証されたときの各リーダのボタン操作の有効・無効の状態を示す図である。
【図５】本発明に係る電気錠システムのリーダの他の構成例を示す外観平面図である。
【符号の説明】
【００６７】
１  電気錠システム
２  リーダ
２ａ  室内側リーダ
２ｂ  室外側リーダ
３  電気錠装置
４  非接触媒体
１０  人検知センサ
１０ａ  室内側人検知センサ
１０ｂ  室外側人検知センサ
１１  操作手段
１１ａ  第１操作ボタン（施錠ボタン）
１１ｂ  第２操作ボタン（解錠ボタン）
１２  受信手段
１３  制御手段
１４  表示手段
１４ａ  第１表示部（施錠表示部）
１４ｂ  第２表示部（解錠表示部）
１５  通信手段
２１  通信手段
２２  監視手段
２３  制御手段
２４  駆動手段
２５  施解錠機構
【図１】
0005038034.tif 000002
【図２】
0005038034.tif 000003
【図３】
0005038034.tif 000004
【図４】
0005038034.tif 000005
【図５】
0005038034.tif 000006